(57)【要約】【課題】ユーザが希望する表示形態のメニュー画面を提供することができるようにする。【解決手段】まず、メニュー画面の表示形態毎に選択項目２１ａ，２１ｂ，２１ｃが設けられたメニュー方式選択画面２０が表示され、選択項目２１ａを選択すると、図４（ｂ）に示すように第１階層の選択項目２３と第２階層の選択項目２４とが配列された第１の表示形態のメニュー画面２２ａが表示され、メニュー方式選択画面２０で選択項目２１ｂを選択すると、図４（ｃ）に示すように第１階層の選択項目２３と第２階層の選択項目２４とが配列された第２の表示形態のメニュー画面２２ｂが表示され、メニュー方式選択画面２０で選択項目２１ｃを選択すると、図４（ｄ）に示すように第１階層の選択項目２３と第２階層の選択項目２４とが配列された第３の表示形態のメニュー画面２２ｃが表示される。【選択図】　　　　図４
2004139341.tif 000002
【特許請求の範囲】
【請求項１】
メニューの異なる表示形態を選択可能とする複数の選択項目を表示し、選択された表示形態で該メニューを表示することを特徴とするメニュー表示方法。
【請求項２】
メニュー表示方法であって、
表示画面の横方向に該メニューの第１階層の選択項目を配列表示すると同時に、該第１階層の選択項目毎に、該第１階層の選択項目の下位の第２階層の選択項目を該表示画面の縦方向に、かつ該当する該第１階層の選択項目の下方に、配列して表示する表示形態であることを特徴とするメニュー表示方法。
【請求項３】
メニュー表示方法であって、
表示画面の横方向にメニューの第１階層の選択項目を配列表示し、これと同時に、該第１階層の選択項目毎に、該第１階層の選択項目の下位の第２階層の選択項目を該表示画面の縦方向に、かつ該当する該第１階層の選択項目の下方に、配列して表示し、
該第２階層の選択項目の１つが選択されると、選択された該第２階層の下位の第３の層の選択項目を、第２階層が選択されない他の第１階層の選択項目の第２階層の項目に代えて、表示する
表示形態であることを特徴とするメニュー表示方法。
【請求項４】
メニュー表示方法であって、
表示画面の縦方向に該メニューの第１階層の選択項目を配列表示すると同時に、選択された第１階層の選択項目の下位の第２階層の選択項目のみを、該表示画面での該第１階層の選択項目の横位置に表示することを特徴とするメニュー表示方法。
【請求項５】
メニュー表示方法であって、
表示画面上に、選択された上位階層の選択項目と該上位階層に属する下位階層の選択項目とを同時に表示し、
該下位階層の選択項目のいずれかが選択されると、選択された該下位階層の選択項目と該下位階層の選択項目に対する該上位階層の選択項目とで表わされる項目の内容を該表示画面の所定のエリアに表示する
表示形態であることを特徴とするメニュー表示方法。
【請求項６】
メニュー表示方法であって、
表示画面の中央部長手方向に上位階層の選択項目を配列表示し、かつ選択された該上位階層の選択項目を該表示画面の中央部に配置して表示し、
該上位階層に属する下位階層の選択項目を、該上位階層の選択項目に対して、長手方向以外の方向に配置して表示する
表示形態であることを特徴とするメニュー表示方法。
【発明の詳細な説明】
【０００１】
【発明が属する技術分野】
本発明は、カーナビゲーション装置，テレビジョン受像機や携帯電話，ＰＤＡなどのモバイル情報機器などのコンテンツを選択するのに表示画面でメニューを用いる機器でのメニュー表示方法に関する。
【０００２】
【従来の技術】
上記のような機器では、多様化，多機能化を図るために、利用する機能やコンテンツが増加し、膨大化してきている。このような膨大な機能やコンテンツの中からユーザが望むものを探し出すのには、非常な手間と時間とを要することになる。このため、かかる機能やコンテンツをその属性や内容，分野などに応じてグループ化し、かかるグループ化に応じた階層構造をなすメニューを用いて検索する方法が採用されている。
【０００３】
【特許文献１】
特開２０００ー１１２９７７号公報（第５ページ、図３）
上記文献には、ＴＶ放送番組や各種放送データ，インターネットのホームページの情報などのコンテンツを受信でき、また、これらを記録装置に記録できるようにしたマルチメディア情報機器が記載されており、リモコンの操作により、これらコンテンツの中から利用者が所望のコンテンツを選択して表示させることを可能とするものである。このために、かかるコンテンツは複数のメディア、例えば、ＴＶ，出版，ホームページ，データというブロック毎に大別され、さらに、．各ブロックは複数のジャンルに区分される。例えば、ブロック「ＴＶ」を例にとると、映画，ドラマ，野球，ゴルフなどのジャンルに区分される。さらに、各ジャンルが夫々サブジャンルに区分されている。ジャンル「映像」を例にとると、これは洋画，邦画，アニメなどのサブジャンルに区分されている。
【０００４】
そして、所望のコンテンツを選択して表示させる場合には、リモコンの操作により、表示画面上にこれらブロックと各ブロック毎のジャンルとからなるメニューを表示させ、リモコン操作によってカーソルを所望とするブロックでのジャンルに一致させるものである。ブロックとジャンルとが同時に表示されており、ジャンルを選択すると、このジャンルとこれに属するサブジャンルとこれらサブジャンルに属するコンテンツの名称とが表示される。そして、表示されるコンテンツの名称を選択することにより、このコンテンツが表示されることになる。
【０００５】
【発明が解決しようとする課題】
ところで、上記従来技術でのコンテンツを選択するためのメニューは、ブロックを最上位階層，ジャンルをその下位階層とし、さらに、サブジャンルをこのジャンルの下位の最下位階層とする階層構造をなしており、かかる階層構造で表示される。コンテンツはこの最下位層のサブジャンルにしたがって区分されているから、各階層を適切に選択することにより、最終的に検索の対象となるコンテンツの数量が少なくなり、コンテンツの検索がし易いものとなる。
【０００６】
一方、メニューの表示形態は、これまで種々のものが提案されている。しかしながら、実際には、カーナビゲーション装置（以下、カーナビという）やテレビジョン受像機（以下、テレビ受像機），携帯電話，ＰＤＡなどの機器に用いられるコンテンツなどの選択のためのメニューの表示形態は一種類であり、ユーザは、常に、その機器で決められた表示形態のメニューを用いることになる。
【０００７】
このために、ユーザとしては、使用する機器で決められている表示形態のメニューでは、メニューが見にくい，メニュー操作に手間がかかるなどといった理由から、使いづらいといったこともあるし、また、たまには、違った表示形態のメニューを使用してみたいと思うようなことがある。しかし、従来の機器では、このような要望に応えることができなかった。
【０００８】
また、各階層の選択を進めていくうちに、どのような選択経緯を辿ってきたかを知りたくなる場合があるが、そのような経緯を表示するものではなかった。
【０００９】
さらに、リモコンなどの入力デバイスのボタン配列に合わせた選択脚とボタンとの対応が判り易いメニュー表示もなかった。
【００１０】
本発明はかかる要望に鑑みてなされたものであって、その目的は、ユーザが希望する表示形態のメニュー画面を提供することができるようにしたメニュー表示方法を提供することにある。
【００１１】
本発明の他の目的は、階層構造を持つメニュー表示で、選択経緯を表示するメニュー表示方法を提供することにある。
【００１２】
本発明のさらに他の目的は、入力デバイスのボタンなどと表示された選択肢との対応が判り易いメニュー表示方法を提供することにある。
【００１３】
【課題を解決するための手段】
上記目的を達成するためには、本発明は、メニュー画面の異なる表示形態を選択可能とする複数の選択項目を表示し、選択された表示形態でメニュー画面を表示することができるようにしたものである。
【００１４】
また、本発明は、表示画面の横方向にメニューの第１階層の選択項目を配列表示すると同時に、第１階層の選択項目毎に、第１階層の選択項目の下位の第２の階層の選択項目を表示画面の縦方向に、かつ該当する第１階層の選択項目の下方に、配列して表示するものである。
【００１５】
さらに、本発明は、表示画面の横方向にメニューの第１階層の選択項目を配列表示すると同時に、第１階層の選択項目毎に、第１階層の選択項目の下位の第２の階層の選択項目を表示画面の縦方向に、かつ該当する該第１階層の選択項目の下方に、配列して表示し、第２の階層の選択項目の１つが選択されると、選択された第２の階層の下位の第３の階層の選択項目を、第２階層が選択されない他の第１の階層の選択項目の第２の階層の項目に代えて、表示するものである。
【００１６】
さらに、本発明は、表示画面の縦方向にメニューの第１階層の選択項目を配列表示すると同時に、選択された第１階層の選択項目の下位の第２階層の選択項目のみを、表示画面での第１階層の選択項目の横位置に表示するものである。
【００１７】
さらに、本発明は、表示画面上に、選択された上位階層の選択項目とこの上位階層に属する下位階層の選択項目とを同時に表示し、この下位階層の選択項目のいずれかが選択されると、選択された下位階層の選択項目とこの下位階層の選択項目に対する上位階層の選択項目とで表わされる項目の内容を該表示画面の所定のエリアに表示するものである。
【００１８】
さらに、本発明は、表示画面上、長手方向に上位階層の選択項目を配列表示し、かつ選択された上位階層の選択項目を表示画面の中央部に配置して表示し、上位階層に属する下位階層の選択項目を、この上位階層の選択項目に対して、長手方向以外の方向に配置して表示するものである。
【００１９】
【発明の実施の形態】
まず、本発明によるメニュー表示方法を用いた機器について説明する。
【００２０】
図１はかかる機器の一例としてのカーナビを示す図であって、同図（ａ）はカーナビ本体を、同図（ｂ−１），（ｂ−２）はリモコン（リモートコントローラ）を夫々示している。なお、同図（ｂ−２）は同図（ｂ−１）に示すリモコンの蓋を開けた状態を示すものである。また、１はカーナビ本体、２は表示画面、３は受光部、４はディスク挿入口、５はリモコン、６は操作面、７は蓋、８ａはカーナビ本体４の電源キー、８ｂはＶＩＣＳキー、８ｃは決定キー、８ｄは８方向キー、８ｅは戻るキー、８ｆはメニューキー、８ｇはテンキーである。
【００２１】
図１（ａ）において、カーナビ本体１の正面には、表示画面２と、図１（ｂ−１），（ｂ−２）に示すリモコン５からの制御信号の赤外線を受光する受光部３と、アプリケーションプログラム用のディスクを挿入するディスク挿入口４とが設けられており、このリモコン５の操作により、表示画面２に本発明によるメニュー表示方法に基づく表示形態のメニューが表示されることになる。
【００２２】
図１（ｂ−１）において、カーナビのリモコン５では、その操作面６にカーナビ本体１の電源をオン，オフする電源キー８ａやＶＩＣＳキー８ｂ，表示画面２での選択項目の選択決定操作をするための決定キー８ｃ，表示画面２上でカーソル（図示せず）を移動させて選択操作を行なうための８方向キー８ｄ，表示画面２上で表示される画面を１つ前に戻す操作をするための戻るキー８ｅ，表示画面２にメニュー画面を表示させるためのメニューキー８ｆなどのカーナビ操作に必要な各種キーが設けられている。
【００２３】
また、この操作面６の一部には、蓋７が被せられており、このふた７の表面にも、カーナビ操作に必要な各種キーが設けられているが、このふた７を開けると、図１（ｂ−２）に示すように、操作面６の蓋７で被せられた部分にテンキー８ｇが設けられている。
【００２４】
ここで、８方向キー８ｄは、表示画面２での図示しないカーソルが８方向に移動可能のときには、これを縦横斜めの８方向に移動させる機能を有するが、カーソルが縦もしくは横の２方向、または、縦横の４方向にしか移動できない場合には、通常の十字キーと同様の機能を持つことになる。
【００２５】
図２は上記機器の他の例としてのテレビ受像機を示す図であって、同図（ａ）は受像機本体を、同図（ｂ）はリモコンを夫々示しており、９は受像機本体、１０は表示画面、１１は操作部、１２は受光部、１３は電源ボタン、１４Ｌ，１４Ｒはスピーカ、１５はリモコン、１６ａは電源ボタン、１６ｂはテンキー、１６ｃはメニューキー、１６ｄは８方向キー、１６ｅは決定キー、１６ｆは戻るキー、１６ｇは音量調整キー、１６ｈはチャンネル変更キーである。
【００２６】
図２（ａ）において、受像機本体９の正面には、表示画面１０と、受像機本体９を操作するための操作部１１と、図２（ｂ）に示すリモコン１５からの制御信号の赤外線を受光する受光部１２と、受像機本体９の電源をオン，オフする電源ボタン１３とが設けられており、このリモコン１５の操作により、表示画面１０に本発明によるメニュー表示方法に基づく表示形態のメニューが表示されることになる。
【００２７】
図２（ｂ）において、テレビ受像機のリモコン１５では、その操作面に受像機本体９の電源をオン，オフする電源キー１６ａやテンキー１６ｂ，表示画面２にメニュー画面を表示させるためのメニューキー１６ｃ，表示画面２上でカーソル（図示せず）を移動させて選択操作を行なうための８方向キー１６ｄ，表示画面１０での項目の選択決定操作をするための決定キー１６ｅ，表示画面１０上で表示される画面を１つ前に戻す操作をするための戻るキー１６ｆ，テレビ受像機９での音量を調整するための音量調整キー１６ｇ，チャンネルを切り替えるためのチャンネル切替キー１６ｈなどのテレビ受像機操作に必要な各種キーが設けられている。８方向キー１６ｄは、カーナビのリモコン５（図１（ｂ））の８方向キ−８ｄと同様の機能を有している。
【００２８】
図３は上記機器のさらに他の例としての携帯電話を示す図であって、１７は携帯電話、１８は表示画面、１９ａは戻るキー、１９ｂはメニューキー、１９ｃは８方向キー、１９ｄは決定キー、１９ｅはテンキーである。
【００２９】
図３において、携帯電話１７の正面には、表示画面１８と操作部とが設けられており、この操作部には、表示画面１８上で表示される画面を１つ前に戻す操作をするための戻るキー１９ａ，表示画面１８にメニュー画面を表示させるためのメニューキー１９ｂ，表示画面２上でカーソル（図示せず）を移動させて選択操作を行なうための８方向キー１９ｃ，表示画面１８での項目の選択決定操作をするための決定キー１９ｄ，テンキー１９ｅなどの携帯電話の操作に必要な各種キーが設けられている。８方向キー１９ｃは、カーナビのリモコン５（図１（ｂ））の８方向キ−８ｄと同様の機能を有している。
【００３０】
次に、本発明の実施形態を図面により説明するが、これを用いる機器をカーナビとする。従って、以下に説明する実施形態によるメニュー画面を表示するのは、図１に示すカーナビ本体１の表示画面２である。但し、カーナビ以外の上記機器に適用する場合には、メニューの選択項目の表示内容がかかる機器に応じたものであって、本質的にカーナビの場合と異なるものではない。
【００３１】
図４〜図８は本発明によるメニュー表示方法の第１の実施形態を示す図であって、２０はメニュー方式選択画面、２１ａ〜２１ｃはメニュー選択項目、２２ａ，２２ｂ，２２ｂ１〜２２ｂ６，２２ｃ，２２ｃ１，２２ｃ２はメニュー画面、２３は第１階層の選択項目、２４は第２階層の選択項目、２５は選択番号、２６は表示エリア、２７は指示項目、２８は第３階層の選択項目である。
【００３２】
まず、図１において、リモコン５の電源キー８ａを操作してカーナビ本体１の電源をオンにし、メニューキー８ｆを操作すると、カーナビ本体１の表示画面２に図４（ａ）に示すメニュー方式選択画面２０が表示され、以下に説明するように、第１の実施形態を利用できるようになる。
【００３３】
このメニュー方式選択画面２０では、「メニュー１」，「メニュー２」，「メニュー３」と表記されるメニュー方式の選択項目２１ａ，２１ｂ，２１ｃが選択可能に表示される。これら「メニュー１」，「メニュー２」，「メニュー３」は異なるメニュー方式を表わすものであるが、メニューは階層構造で表わされるものであって、これらメニュー方式は、同じ内容のメニューを異なる表示形態で表示するものである。なお、ここでは、３種類のメニュー方式があるものとして、３個の選択項目２１ａ〜２１ｃを表示するようにしたが、メニュー方式が２個であっても、また、４個以上であってもよく、いずれも以下の説明と同様である。
【００３４】
かかるメニュー方式選択画面２０においては、デフォルトとして、選択項目２１ａ〜２１ｃのうちのいずれか１つ、ここでは、先頭に配列される選択項目「メニュー１」２１ａがカーソルによって選択されており（これを、以下、フォーカスが当たっているという）、決定キー８ｃを操作すると、図４（ｂ）に示すように、メニュー画面２２ａが第１の表示形態で表示画面２に表示される。以下に説明するメニュー画面では、フォーカスが当てられた選択項目に太枠とハッチングを付し、カーソルが当てられていることを示すようにする。
【００３５】
このメニュー画面２２ａでは、第１の表示形態として、階層構造をなすメニューでの最上位である第１階層の選択項目２３を表示画面２の横方向に配列表示し、これら第１階層の選択項目２３毎に、その下位となる第２階層の選択項目２４を、該当する第１階層の選択項目２３の下に、縦方向に配列して表示するものである。ここで、第１階層の選択項目２３が「行く」，「見る」，「変える」の３種類があるものとすると、これら選択項目「行く」２３，「見る」２３，「変える」２３はメニュー画面２２ａで横方向に配列表示される。そして、第２階層の選択項目２４については、選択項目「行く」２３についてみると、その第２階層の選択項目「よく行くところ」２４，「最近の目的地」２４，「さがす」２４が、その上位である第１階層の選択項目「行く」２３の下に、縦方向に配列されて表示される。他の第１階層の選択項目「見る」２３，「変える」２３についても同様である。
【００３６】
常に、これら第２階層の選択項目２４のいずれか１つにフォーカスが当てられているが、８方向キー８ｄを操作してカーソルを移動させることにより、フォーカスを当てる第２階層の選択項目２４を変更させることができる。また、選択項目「よく行くところ」２４に「１」，選択項目「ランドマーク」２４に「２」，……というように、各第２階層の選択項目２４に順に選択番号２５が付されており、この選択番号２５をテンキー８ｇで指定することにより、この指定された選択番号２５の第２階層の選択項目２４を選択することができる。
【００３７】
図４（ａ）に示すメニュー方式選択画面２０において、この状態で８方向キー８ｄの下方向部を操作（下押し）してカーソルを選択項目「メニュー２」２１ｂに合わせ（即ち、選択項目２１ｂにフォーカスを当てると）、決定キー８ｃを操作すると、図４（ｃ）に示すように、メニュー画面２２ｂが第２の表示形態で表示画面２に表示される。
【００３８】
このメニュー画面２２ｂでは、第２の表示形態として、階層構造をなすメニューでの最上位である第１階層の選択項目２３を表示画面２の縦方向に配列表示する。また、この第２の表示形態のメニュー画面２２ｂでは、第１階層の選択項目２３の１つに必ずフォーカスが当てられており（図示では、選択項目「行く」２３）、そのフォーカスが当てられている第１階層の選択項目２３の下位となる第２階層の選択項目２４が、このフォーカスが当てられている第１階層の選択項目２３の横（ここでは、右側）に、縦方向に配列して表示されるものである。
【００３９】
ここでは、第１階層の選択項目「行く」２３，「見る」２３，「変える」２３がメニュー画面２２ｂの左辺に縦方向に配列表示され、フォーカスが当てられている第１階層の選択項目「行く」２３の下位となる第２階層の選択項目「よく行くところ」２４，「最近の目的地」２４，「さがす」２４が、第１階層の選択項目２３の配列の右側に、縦方向に配列されて表示される。他の第１階層の選択項目「見る」２３，「変える」２３がフォーカスされた場合も、同様である。
【００４０】
また、このメニュー画面２２ｂの上辺部には、表示エリア２６が設けられ、これにフォーカスされた選択項目からなるコンテンツの検索標題が表示される。ここでは、第１階層の選択項目「行く」２３のみがフォーカスされているので、その表記「行く」に基づく選択内容が、例えば、コンテンツの検索標題が「行先を決める」といった文章形態で表示エリア２６に表示される。これにより、どのようにコンテンツを検索するのかが判ることになる。
【００４１】
図４（ａ）に示すメニュー方式選択画面２０において、８方向キー８ｄの下方向部を２度操作（下押し）し、カーソルを下方に移動させて選択項目「メニュー３」２１ｃにフォーカスを当て、決定キー８ｃを操作すると、図４（ｄ）に示すように、メニュー画面２２ｃが第３の表示形態で表示画面２に表示される。
【００４２】
このメニュー画面２２ｂでは、第３の表示形態として、階層構造をなすメニューでの最上位である第１階層の選択項目２３が表示画面２の上下方向の中央部で横方向に配列表示される。但し、フォーカスが当てられている第１階層の選択項目２３のみが表示画面２の中央部に表示され、それ以外の第１階層の選択項目２３は表示画面２からはみ出している。
【００４３】
ここでは、「道案内」，「渋滞情報」，「各種設定」の３つの第１階層の選択項目２３があるものとして、「道案内」の右側に「各種設定」が、また、左側に「渋滞情報」が夫々配列されているものとし、「道案内」にフォーカスが当てられているものとする。従って、この第１階層の選択項目「道案内」２３が表示画面２の中央部に表示される。
【００４４】
表示画面２の中央部に表示される第１階層の選択項目「道案内」２３の右側には、「各種設定」と表記された右向きの矢印の指示項目２７が表示され、第１階層の選択項目「各種設定」２３が右側にあることを示している。この指示項目「各種設定」２７をフォーカスすると、この第１階層の選択項目「各種設定」２３が選択されたことになり、これが表示画面２の中央部に表示されて、これまで表示されていた第１階層の選択項目「道案内」２３が表示画面の左辺からはみ出して表示されなくなる。また、表示画面２の中央部に表示される第１階層の選択項目「道案内」２３の左側には、「渋滞情報」と表記された左向きの矢印の指示項目２７が表示され、第１階層の選択項目「渋滞情報」２３が左側にあることを示している。この指示項目「渋滞情報」２７をフォーカスすると、この第１階層の選択項目「渋滞情報」２３が選択されたことになり、これが表示画面２の中央部に表示されて、これまで表示されていた第１階層の選択項目「道案内」２３が表示画面の右辺からはみ出して表示されなくなる。
【００４５】
また、この第３の表示形態のメニュー画面２２ｃでは、第１階層の選択項目２３の下位となる第２階層の選択項目２４が、この第１階層の選択項目２３の上下方向，右斜め上方向，右斜め下方向，左斜め下方向，左斜め上方向の６方向に配置表示される。即ち、第１階層の選択項目２３を中心として、８方向等距離（即ち、同心円上）に指示項目２７と第２階層の選択項目２４とが配列表示されることになり、これらをフォーカスするのに、８方向キー８ｄにカーソルを８方向に移動させる機能を持たせる。これにより、例えば、この８方向キー８ｄの右上斜め方向を指示する部分を操作すると、第２階層の選択項目「場所を捜す」２４がフォーカスされ、８方向キー８ｄの左方向を指示する部分を操作すると、指示項目「渋滞情報」２７がフォーカスされて第１階層の選択項目「渋滞情報」２３が選択されることになる。
【００４６】
図５は図４（ｂ）に示すメニュー画面２２ａの操作についての説明図である。
【００４７】
いま、図５（ａ）に示すように、メニュー画面２２ａが第１階層の選択項目「行く」２３に属する第２階層の選択項目「よく行くところ」２４がフォーカスされた状態にあるものとする。かかる状態で８方向キー８ｄの下方向指示部を操作（下押し）したものとすると、図５（ｂ）に示すように、フォーカスが１つ下方に移動し、同じ第１階層の選択項目「行く」２３に属する次の第２階層の選択項目「最近の目的地」２４にフォーカスが当てられることになる。
【００４８】
また、図５（ａ）に示す状態のメニュー画面２２ａで８方向キー８ｄの右方向指示部を操作（右押し）すると、図５（ｃ）に示すように、フォーカスが１つ右方に移動し、右側に配列される第１階層の選択項目「見る」２３に属する第２階層の選択項目「ランドマーク」２４にフォーカスが当てられることになる。この第１階層の選択項目「見る」２３に属する第２階層の他の選択項目、例えば、選択項目「案内情報」２４を選択するためには、さらに、８方向キー８ｄの下方向指示部を操作（下押し）すればよい。また、さらに右側に配列される第１階層の選択項目「変える」２３に属する第２階層の選択項目を選択するためには、さらに８方向キー８ｄの右方向指示部を操作（右押し）すればよい。
【００４９】
また、図５（ａ）に示す状態のメニュー画面２２ａで決定キー８ｃを操作（決定キー押下）すると、図５（ｄ）に示すように、フォーカスが当てられている第１階層の選択項目「行く」２３以外の第１階層の選択項目「見る」，「変える」２３とそれらの第２階層の選択項目２４に代わり、第１階層の選択項目「行く」２３の第２階層の選択項目「よく行くところ」２４に属する第３階層の選択項目２８が表示される。これら第３階層の選択項目２８も縦方向に配列されて表示されており、それらのうちの最上位に配列される第３階層の選択項目２８（ここでは、「自宅」）に、デフォルトとして、フォーカスが当てられている。そして、このように第３階層の選択項目２８が表示された状態でも、この第３階層の選択項目が属する第２階層の選択項目２４（ここでは、「よく行くところ」）にも、フォーカスが当てられている。
【００５０】
このようにして、フォーカスが当てられた選択項目は、その下位階層の選択項目が表示されても、そのままフォーカスが当てられた状態にあり、従って、フォーカスが当てられている選択項目の表記をまとめて読むことにより、コンテンツの検索標題を確認することができる。図５（ｄ）で図示する例では、フォーカスが当てられている選択項目２４，２８の表記「よく行くところ」，「自宅」とそれらの最上位階層の選択項目２３の表記「行く」とから、コンテンツの検索の標題「自宅へ行く」が確認できることになる。なお、この標題の場合には、カーナビで現在地から自宅へのコースを検索していることになる。
【００５１】
以上のように、この第１の表示形態では、最上位の第１階層の各選択項目２３は横方向に配列表示され、これより下位の階層の各選択項目２４，２８は縦方向に配列表示され、かつ第２階層の選択項目２４はそれが属する第１階層の該当する選択項目の下に表示されるものである。また、ここでは、第３階層の選択項目しか示していないが、第３階層以下の階層の選択項目は、その上位の選択項目の横方向に表示される。
【００５２】
図６は図４（ｃ）に示すメニュー画面２２ｂの操作についての説明図である。
【００５３】
いま、図６（ａ）に示すように、メニュー画面２２ｂが第１階層の選択項目「行く」２３がフォーカスされていて、これに属する第２階層の選択項目２４が表示された状態にあるものとし、かかる状態で８方向キー８ｄの下方向指示部を操作（下押し）したものとすると、図６（ｂ）に示すように、フォーカスが１つ下方に移動し、次の第１階層の選択項目「見る」２３にフォーカスが当てられるメニュー画面２２ｂ１となる。そして、第１階層の選択項目２３の配列の右側に、この第１階層の選択項目「見る」２３に属する第２階層の選択項目２４が表示される。このとき、表示エリア２６には、フォーカスが当てられている第１階層の選択項目「見る」２３の表記「見る」が、コンテンツの検索標題として、表示される。
【００５４】
また、図６（ａ）に示す状態のメニュー画面２２ｂで決定キー８ｃもしくは８方向キー８ｄの右方向指示部を操作（右押し）すると、図６（ｃ）に示すように、フォーカスが１つ右方に移動し、第１階層の選択項目「行く」２３の右側に配列される第２階層の選択項目「よく行くところ」２４にフォーカスが当てられる表示画面２２ｂ２となる。このときにも、この第２階層の選択項目「よく行くところ」２４が属する第１階層の選択項目「行く」２３にもフォーカスが当てられており、表示エリア２６には、フォーカスが当てられた選択項目２３の表記「行く」と選択項目２４の表記「よく行くところ」とにより、検索の標題「よく行くところに行く」が表示されることになる。
【００５５】
そして、図６（ｃ）に示すメニュー画面２２ｂ２で決定キー８ｃを操作（決定キー押下）すると、図６（ｄ）に示すように、第２階層の選択項目２４の右側に、フォーカスが当てられている第２階層の選択項目「よく行くところ」２４に属する第３階層の選択項目２８が表示されるメニュー画面２２ｂ３となる。このメニュー画面２２ｂ３では、第３階層の選択項目２８のうち、最も上に配列表示される第３階層の選択項目「自宅」２８に、デフォルトとして、フォーカスが当てられており、これとともに、第１階層の選択項目「行く」２３と第２階層の選択項目「よく行くところ」２４と第３階層の選択項目「自宅」２８との表記により、表示エリア２６に「自宅へ行く」というコンテンツの検索標題が表示されることになる。
【００５６】
このようにして、この第２の表示形態のメニューでは、各階層とも、同順位の選択項目は縦方向に配列表示されるが、異なる階層間では、異順位の選択項目が横方向に配列されるものであり、上記の第１の表示形態とは異なっている。
【００５７】
図７は図４（ｃ）に示すメニュー画面２２ｂからの一連の操作の流れを示す図であり、図６に対応する部分には同一符号を付けている。
【００５８】
いま、ユーザが「案内情報」を見てみたいものとすると、まず、第１階層の選択項目「行く」２３が、デフォルトとして、フォーカスされている図７（ａ）に示すメニュー画面２２ｂにおいて、８方向キー８ｄを下押しして第１階層の選択項目２３をスキャンする。すると、図７（ｂ）に示すように、第１階層の選択項目「見る」２３が選択されたとき、その下位である第２階層の選択項目２４に選択項目「案内情報」２４が表われるメニュー画面２２ｂ１が得られる。そこで、このメニュー画面２２ｂ１において、決定キー８ｃを操作するか（決定キー押下）、８方向キー８ｄを右押しすると、図７（ｃ）に示すように、カーソルが右方に移動し、第２階層の選択項目「ランドマーク」２４がデフォルトとしてフォーカスされたメニュー画面２２ｂ４が表示される。このとき、第１階層の選択項目「見る」２３もフォーカスされたままであり、従って、その表示エリア２６に検索標題「ランドマークを見る」が表示される。次に、８方向キー８ｄを下押しすると、カーソルが第２階層の選択項目２４の配列方向に移動し、図７（ｄ）に示すように、第２階層の選択項目「案内情報」２４にフォーカスが当てられたメニュー画面２２ｂ５が得られる。このとき、表示エリア２６には、検索標題「案内情報を見る」が表示される。
【００５９】
このようにして、目的の選択項目「案内情報」２４を選択することができるが、この選択項目の詳細を見るためには、さらに、決定キー８ｃを操作するか、８方向キー８ｄを右押しすればよい。これにより、図７（ｅ）に示すように、この第２階層の選択項目２４に属する第３階層の選択項目２８が、この第２階層の選択項目２４の右側に表示されるメニュー画面２２ｂ６が得られる。このとき、第３階層の選択項目２８では、その先頭の選択項目「ジャンルから」２８がデフォルトとしてフォーカスが当てられており、これにより、表示エリア２６には、検索標題「ジャンルから案内情報を見る」が表示される。
【００６０】
以上のような第２の表示形態によれば、表示エリア２６にこれまで選択してきた機能やコンテンツの内容が表示されるので、これまでの選択経緯を容易に知ることができる。
【００６１】
図８は図４（ｄ）に示すメニュー画面２２ｃの操作についての説明図である。
【００６２】
いま、図８（ａ）に示すように、メニュー画面２２ｃが第１階層の選択項目「道案内」２３が表示画面２の中央部に表示されて選択されている状態にあるものとする。かかる状態で８方向キー８ｄを右押しすると、指示項目「各種設定」２７が選択されたことになり、図８（ｂ）に示すように、第１階層の選択項目「各種設定」２３がフォーカスされた（即ち、この選択項目「各種設定」２３が表示画面２の中央部に表示された）メニュー画面２２ｃ１が得られる。このメニュー画面２２ｃ１では、第１階層の選択項目「道案内」２３が左方に表示画面２からはみ出し、第１階層の選択項目「各種設定」２３の左横に指示項目「道案内」２７が左向きの矢印で、第１階層の選択項目「各種設定」２３の上記６方向にこの選択項目「各種設定」２３に属する第２階層の選択項目が夫々表示される。
【００６３】
また、図８（ａ）に示すメニュー画面２２ｃで８方向キー８ｂを上押しすると、第１階層の選択項目「道案内」２３の上側に位置する第２階層の選択項目「登録地点へ行く」２４が選択されたことになり、図８（ｃ）に示すように、この第２階層の選択項目「登録地点へ行く」２４に属する第３階層の選択項目２８を表わすメニュー画面２２Ｃ２が表示される。ここでは、第３階層の選択項目２８がリスト上に表示され、８方向キー８ｄと決定キー８ｃとを操作することにより、その１つを選択決定することができる。
【００６４】
以上のような第３の表示形態によれば、リモコンなどの入力デバイスのボタンなどの配置に合わせて選択項目が表示されるため、選択項目とボタンなどの対応が判り易く、容易に操作することができる。
【００６５】
以上のように、この第１の実施形態では、異なる３種類の表示形態が異なるメニュー画面を選択することができ、ユーザはこのうちの１つを選択して所望とするコンテンツの検索をすることができる。
【００６６】
なお、ここでは、カーナビを例にして説明したが、ＴＶ受像機などの他の機器についても、同様の表示形態のメニューを用いるようにすることができる。
【００６７】
図９は本発明によるメニュー表示方法の第２の実施形態を示す図であって、３０はメニュー方式選択画面、３１ａ〜３１ｃはメニュー選択項目、３２ａ，３２ｂ１，３２ｂ２，３２ｃはメニュー画面、３３は第１階層の選択項目、３４は第２階層の選択項目、３５は表示エリア、３６は指示項目である。この第２の実施形態は、図３に示す携帯電話１７に対するものである。
【００６８】
まず、図３において、携帯電話１７の電源キー１９ｆを操作して電源をオンにし、メニューキー１９ｂを操作すると、表示画面１８に図９に示すメニュー方式選択画面３０が表示され、以下に説明するように、第２の実施形態を利用できるようになる。
【００６９】
図９（ａ）において、メニュー方式選択画面３０では、「メニュー１」，「メニュー２」，「メニュー３」と表記されるメニュー方式の選択項目３１ａ，３１ｂ，３１ｃが選択可能に表示される。先の第１の実施形態と同様、これら「メニュー１」，「メニュー２」，「メニュー３」は表示形態が異なるメニュー方式を表わすものであるが、メニューは階層構造で表わされるものであって、これらメニュー方式は、同じ内容のメニューを異なる表示形態で表示するものである。なお、ここでは、３種類のメニュー方式があるものとして、３個の選択項目３１ａ〜３１ｃを表示するようにしたが、メニュー方式が２個であっても、また、４個以上であってもよく、いずれも以下の説明と同様である。
【００７０】
かかるメニュー方式選択画面３０において、これを表示したときには、先頭に表示される選択項目３１ａが、デフォルトとして、フォーカスが当てられており、携帯電話１７の決定キー１９ｄを操作すると（決定キー押下）、図９（ｂ）に示すメニュー画面３２ａが第１の表示形態で表示画面１８に表示される。この第２の実施形態でも、メニュー画面では、フォーカスが当てられた選択項目に太枠とハッチングを付し、カーソルが当てられていることを示すようにする。
【００７１】
このメニュー画面３２ａでは、各選択項目をアイコンの形式で表示するものであって、第１の表示形態として、階層構造をなすメニューでの最上位である第１階層の選択項目のアイコン３３を、表示画面１８の横方向に配列表示し、これら第１階層の選択項目３３毎に、その下位となる第２階層の選択項目のアイコン３４を、該当する第１階層の選択項目のアイコン３３の下に、縦方向に配列して表示するものである。ここで、第１階層の選択項目３３が「メール」，「ネットワーク」，「フォルダ」の３種類あるものとすると、これら選択項目「メール」３３，「ネットワーク」３３，「フォルダ」３３の各アイコンはメニュー画面３２ａで横方向に配列表示される。そして、第２階層の選択項目３４については、選択項目「メール」３３についてみると、その第２階層の選択項目である「Ｅメール」のアイコン３４，「ショートメッセージ」のアイコン３４，「チャット」のアイコン３４が、その上位である第１階層の選択項目である「メール」のアイコン３３の下に、縦方向に配列されて表示される。他の第１階層の選択項目「ネットワーク」３３，「フォルダ」３３についても同様である。
【００７２】
常に、これら第２階層の選択項目３４のいずれか１つにフォーカスが当てられているが、８方向キー８ｄを操作してカーソルを移動させることにより、フォーカスを当てる第２階層の選択項目３４を変更させることができる。
【００７３】
メニュー方式選択画面３０において、８方向キー１９ｃを１回下押しして選択項目３１ｂにフォーカスを当て、決定キー１９ｄを操作すると、図９（ｃ）に示すメニュー画面３２ｂ１が第２の表示形態で表示画面１８に表示される。
【００７４】
このメニュー画面３２ｂ１では、第２の表示形態として、階層構造をなすメニューでの最上位である第１階層の選択項目３３が表示画面１８の縦方向に配列表示される。また、この第２の表示形態のメニュー画面３２ｂでは、第１階層の選択項目３３の１つに必ずフォーカスが当てられている（図示では、選択項目「時計」３３）。ここでは、第１階層の選択項目「時計」３３，「ネットワーク」３３，「メール」３３，「アドレス帳」３３がメニュー画面３２ｂの左辺に縦方向に配列表示され、デフォルトとしての第１階層の選択項目「時計」２３にフォーカスが当てられている。
【００７５】
なお、ここでは、メニュー画面３２ａとは異なる第１階層の選択項目３３をしめしているが、これは第１階層の選択項目３３の他の部分を表わしているものとしており、他の表示形態でも、操作によってこれと同じ第１階層の選択項目３３を表示させることができる。
【００７６】
また、このメニュー画面３２ｂ１の上辺部には、表示エリア３５が設けられ、これにフォーカスされた選択項目からなるコンテンツの検索標題が表示される。ここでは、第１階層の選択項目「時計」３３がフォーカスされているので、その表記「時計」に基づく選択内容が標題「時計を」といった文章形態で表示エリア３５に表示される。
【００７７】
次に、メニュー画面３２ｂ１に対し、決定キー１９ｄを操作すると、フォーカスが当てられている図９（ｄ）に示すように、第１階層の選択項目「時計」３３が選択決定され、これに属する第２階層の選択項目３４のメニュー画面３２ｂ２が表示される。このメニュー画面３２ｂ２では、２個の第２階層の選択項目「オート時刻設定」３４，「マニュアル時刻設定」３４が縦方向に配列されて表示されており、デフォルトとして、最初の第２階層の選択項目「オート時刻設定」３４にフォーカスが当てられている。ここでは、選択された第１階層の選択項目「時計」３３は表示されていないが、表示エリア３５では、フォーカスが当てられている第２階層の選択項目「オート時刻設定」３４とその上位の全ての階層の選択項目とから、標題「時計をオート設定する」という文章が表示され、選択された全ての選択項目が判るようにしている。
【００７８】
次に、メニュー方式選択画面３０において、８方向キー１９ｃを２回下押しして選択項目３１ｃにフォーカスを当て、決定キー１９ｄを操作すると、図９（ｅ）に示すメニュー画面３２ｃが第３の表示形態で表示画面１８に表示される。
【００７９】
このメニュー画面３２ｃは、先に示した第１の実施形態での図８に示す第３の表示形態と同様であるが、携帯電話１７の縦長の表示画面１８において、縦方向に第１階層の選択項目「フォルド」３３，「ネットワーク」３３，「ＰＩＭ（Ｐｅｒｓｏｎａｌ　ｉｎｆｏｒｍａｔｉｏｎ　ｍａｎａｇｅｒ：個人情報管理ソフト）」３３が表示され、フォーカスが当てられている第１階層の選択項目、この場合には、選択項目「ネットワーク」３３が表示画面１８の中央部に表示される。他の第１階層の選択項目「フォルダ」３３は表示画面１８の上辺からはみ出しており、第１階層の選択項目「ＰＩＭ」３３は表示画面１８の下辺からはみ出している。これら第１階層の選択画面３３の第２階層の選択項目３４や他の第１階層の選択項目を指示する矢印型の指示項目３６は、第１階層の選択項目３３に対し、図８に示すメニュー画面２２ｃと同様に、配列表示される。かかるメニュー画面３２ｃの操作の仕方も、図８に示すメニュー画面３２ｃと同様である。但し、この選択項目「ネットワーク」３３には、図９（ｂ）に示すメニュー画面３２ａでの選択項目「メール」３３の第２階層の選択項目「Ｅメール」，「ショートメッセージ」，「チャット」と同じく「ネットワーク」３３の第２階層の選択項目「インターネット」，「ナビゲーション」，「お気に入り」とがまとめて設定されている。
【００８０】
以上のように、この第２の実施形態においても、上記第１の実施形態と同様の効果が得られる。
【００８１】
図１０は本発明によるメニュー表示方法の第３の実施形態を示す図であって、４０はメニュー方式選択画面、４１ａ〜４１ｃはメニュー選択項目、４２ａ〜４２ｃはメニュー画面、４３は第１階層の選択項目、４４は第２階層の選択項目、４５は選択番号、４６は表示エリア、４７は指示項目である。この第３の実施形態は、図２に示すテレビ受像機に対するものであり、図４〜図８に示したカーナビの場合と同様の表示方法がなされるものであるが、以下にその表示について説明する。
【００８２】
まず、図２（ａ），（ｂ）において、リモコン１５の電源キー１６ａを操作して受像機本体９の電源をオンにし、メニューキー１６ｃを操作すると、受像機本体９の表示画面１０に図１０（ａ）に示すメニュー方式選択画面４０が表示され、以下に説明するように、この第３の実施形態を利用できるようになる。
【００８３】
このメニュー方式選択画面４０では、先のカーナビの場合と同様、「メニュー１」，「メニュー２」，「メニュー３」と表記されるメニュー方式の選択項目４１ａ，４１ｂ，４１ｃが選択可能に表示される。これら「メニュー１」，「メニュー２」，「メニュー３」は異なるメニュー方式を表わすものであるが、メニューは階層構造で表わされるものであって、これらメニュー方式は、同じ内容のメニューを異なる表示形態で表示するものである。なお、ここでは、３種類のメニュー方式があるものとして、３個の選択項目４１ａ〜４１ｃを表示するようにしたが、メニュー方式が２個であっても、また、４個以上であってもよく、いずれも以下の説明と同様である。
【００８４】
かかるメニュー方式選択画面４０においては、デフォルトとして、選択項目４１ａ〜４１ｃのうちのいずれか１つ、ここでは、先頭に配列される選択項目「メニュー１」４１ａがカーソルによって選択されてフォーカスが当てられており、この状態で、決定キー１６ｅを操作すると、図１０（ｂ）に示すメニュー画面４２ａが、第１の表示形態として、表示画面１０に表示される。
【００８５】
このメニュー画面４２ａでは、図４（ｂ）に示すカーナビでのメニュー画面２２ａと同様、第１の表示形態として、階層構造をなすメニューでの最上位である第１階層の選択項目４３を表示画面１０の横方向に配列表示し、これら第１階層の選択項目４３毎に、その下位となる第２階層の選択項目４４を、該当する第１階層の選択項目４３の下に、縦方向に配列して表示するものである。ここで、第１階層の選択項目４３が「みる」，「とる」，「変える」の３種類があるものとすると、これら選択項目「みる」４３，「とる」４３，「変える」４３はメニュー画面４２ａで横方向に配列表示される。そして、第２階層の選択項目４４については、選択項目「みる」４３についてみると、その第２階層の選択項目「お気に入り」４４，「アナログ放送」４４，「デジタル放送」４４，「ビデオ」４４が、その上位である第１階層の選択項目「みる」４３の下に、縦方向に配列されて表示される。他の第１階層の選択項目「とる」４３，「変える」４３についても同様である。
【００８６】
常に、これら第２階層の選択項目４４のいずれか１つにフォーカス（太線）が当てられているが、８方向キー１６ｄを操作してカーソルを移動させることにより、フォーカスを当てる第２階層の選択項目４４を変更させることができる。また、選択項目「みる」４３の下位の選択項目「お気に入り」４４に「１」，選択項目「とる」４３の下位の選択項目「お気に入り」４４に「２」，……というように、各第２階層の選択項目４４に順に選択番号４５が付されており、この選択番号４５をテンキー１６ｂで指定することにより、この指定された選択番号４５の第２階層の選択項目４４を選択することができる。
【００８７】
図１０（ａ）に示すメニュー方式選択画面４０において、８方向キー１６ｄの下方向部を２度操作（下押し）し、カーソルを下方に移動させて選択項目「メニュー３」４１ｃにフォーカスを当て、決定キー１６ｅを操作すると、図１０（ｃ）に示すように、メニュー画面４２ｂが、第２の表示形態として、表示画面１０に表示される。
【００８８】
このメニュー画面４２ｂでは、図４（ｃ）に示したカーナビでのメニュー画面２２ｂと同様、第２の表示形態として、階層構造をなすメニューでの最上位である第１階層の選択項目４３を表示画面１０の縦方向に配列表示する。また、この第２の表示形態のメニュー画面４２ｂでは、第１階層の選択項目４３の１つに必ずフォーカスが当てられており（図示では、選択項目「みる」４３）、そのフォーカスが当てられている第１階層の選択項目４３の下位となる第２階層の選択項目４４が、このフォーカスが当てられている第１階層の選択項目４３の横（ここでは、右側）に、縦方向に配列して表示されるものである。
【００８９】
ここでは、第１階層の選択項目「みる」４３，「とる」４３，「変える」４３がメニュー画面４２ｂの左辺に縦方向に配列表示され、フォーカスが当てられている第１階層の選択項目「みる」４３の下位となる第２階層の選択項目「お気に入り」４４，「アナログ放送」４４，「デジタル放送」４４，「ビデオ」４４が、第１階層の選択項目４３の配列の右側に、縦方向に配列されて表示される。他の第１階層の選択項目「とる」４３，「変える」４３がフォーカスされた場合も、同様である。
【００９０】
また、このメニュー画面４２ｂの上辺部には、表示エリア４６が設けられ、これにフォーカスされた選択項目からなるコンテンツの検索標題が表示される。ここでは、第１階層の選択項目「みる」４３のみがフォーカスされているので、その表記「みる」が表示エリア４６に表示される。さらに、この第１階層の選択項目「みる」４３の下位となる第２階層の選択項目が選択されると、これら第１階層と第２階層殿選択項目の表記をもとに、選択内容が文章形態で表示エリア４６に表示され、どのようにコンテンツを検索するのかが判るようにしている。
【００９１】
図１０（ａ）に示すメニュー方式選択画面４０において、８方向キー１６ｄを２度下押しして選択項目「メニュー３」４１ｃにフォーカスを当て、決定キー１６ｅを操作すると、図１０（ｄ）に示すように、メニュー画面４２ｃが、第３の表示形態として、表示画面１０に表示される。
【００９２】
このメニュー画面４２ｂでは、図４（ｄ）に示したカーナビでのメニュー画面２２ｃと同様、第３の表示形態として、階層構造をなすメニューでの最上位である第１階層の選択項目４３が表示画面１０の上下方向の中央部で横方向に配列表示される。但し、フォーカスが当てられている第１階層の選択項目４３のみが表示画面１０の中央部に表示され、それ以外の第１階層の選択項目４３は表示画面１０からはみ出している。
【００９３】
ここでは、「みる」，「とる」，「変える」の３つの第１階層の選択項目４３があるものとして、「みる」の右側に「変える」が、また、左側に「とる」が夫々配列されているものとし、「みる」にフォーカスが当てられているものとする。従って、この第１階層の選択項目「みる」４３が表示画面１０の中央部に表示される。
【００９４】
表示画面１０の中央部に表示される第１階層の選択項目「みる」４３の右側には、「変える」と表記された右向きの矢印の指示項目４７が表示され、第１階層の選択項目「変える」４３が右側にあることを示している。この指示項目「変える」４７をフォーカスすると、この第１階層の選択項目「変える」４３が選択されたことになり、これが表示画面１０の中央部に表示されて、これまで表示されていた第１階層の選択項目「みる」４３が表示画面の左辺からはみ出して表示されなくなる。また、表示画面１０の中央部に表示される第１階層の選択項目「みる」４３の左側には、「とる」と表記された左向きの矢印の指示項目４７が表示され、第１階層の選択項目「とる」４３が左側にあることを示している。この指示項目「とる」４７をフォーカスすると、この第１階層の選択項目「とる」４３が選択されたことになり、これが表示画面１０の中央部に表示されて、これまで表示されていた第１階層の選択項目「みる」４３が表示画面の右辺からはみ出して表示されなくなる。
【００９５】
また、この第３の表示形態のメニュー画面４２ｃでは、第１階層の選択項目４３の下位となる第２階層の選択項目４４が、この第１階層の選択項目４３の上下方向，右斜め上方向，右斜め下方向，左斜め下方向，左斜め上方向の６方向に配置表示される。即ち、第１階層の選択項目４３を中心として、８方向等距離（即ち、同心円上）に指示項目４７と第２階層の選択項目４４とが配列表示されることになり、これらをフォーカスするのに、８方向キー１６ｄにカーソルを８方向に移動させる機能を持たせる。これにより、例えば、この８方向キー１６ｄの右上斜め方向を指示する部分を操作すると、第２階層の選択項目「場所を捜す」４４がフォーカスされ、８方向キー１６ｄの左方向を指示する部分を操作すると、指示項目「とる」４７がフォーカスされて第１階層の選択項目「とる」４３が選択されることになる。
【００９６】
図１０（ｂ）〜（ｄ）に示すメニュー画面４２ａ〜４２ｃにおいて、第２階層以下の選択項目の選択については、図５〜図８で説明したカーナビの場合と同様であり、説明を省略する。
【００９７】
以上のように、この第３の実施形態においても、上記第１の実施形態と同様の効果が得られる。
【００９８】
【発明の効果】
以上説明したように、本発明によれば、同じ内容のメニュー画面であっても、かかるメニュー画面が異なる複数の表示形態で選択可能に設定されているから、ユーザはそのうちの好みあるいは見易いの表示形態を選択して使用することができ、メニューによるコンテンツなどの検索操作がし易いものとなる。
【図面の簡単な説明】
【図１】本発明によるメニュー表示方法を用いる機器の一具体例を示す図である。
【図２】本発明によるメニュー表示方法を用いる機器の他の具体例を示す図である。
【図３】本発明によるメニュー表示方法を用いる機器のさらに他の具体例を示す図である。
【図４】本発明によるメニュー表示方法の第１の実施形態でのメニュー方式選択画面からのメニュー画面の選択についての説明図である。
【図５】図４に示すメニュー方式選択画面で選択された第１の表示形態のメニュー画面を示す図である。
【図６】図４に示すメニュー方式選択画面で選択された第２の表示形態のメニュー画面を示す図である。
【図７】図６に示す第２の表示形態のメニュー画面でのコンテンツの検索操作を示す図である。
【図８】図４に示すメニュー方式選択画面で選択された第３の表示形態のメニュー画面を示す図である。
【図９】本発明によるメニュー表示方法の第２の実施形態でのメニュー方式選択画面からのメニュー画面の選択についての説明図である。
【図１０】本発明によるメニュー表示方法の第３の実施形態でのメニュー方式選択画面からのメニュー画面の選択についての説明図である。
【符号の説明】
１　カーナビ本体
２　表示画面
５　リモコン
８ｃ　決定キー
８ｄ　８方向キー
８ｆ　メニューキー
８ｇ　テンキー
９　受像機本体
１０　表示画面
１５　リモコン
１６ｂ　テンキー
１６ｃ　メニューキー
１６ｄ　８方向キー
１６ｅ　決定キー
１７　携帯電話
１８　表示画面
１９ｂ　メニューキー
１９ｃ　８方向キー
１９ｄ　決定キー
１９ｅ　テンキー
２０　メニュー方式選択画面
２１ａ〜２１ｃ　メニュー選択項目
２２ａ，２２ｂ〜２２ｂ６，２２ｃ〜２２ｃ２　メニュー画面
２３　第１階層の選択項目
２４　第２階層の選択項目
２５　番号
２６　表示エリア
２７　指示項目
２８　第３階層の選択項目
３０　メニュー方式選択画面
３１ａ〜３１ｃ　メニュー選択項目
３２ａ，３２ｂ１，３２ｂ２，３２ｃ　メニュー画面
３３　第１階層の選択項目
３４　第２階層の選択項目
３５　表示エリア
３６　指示項目
４０　メニュー方式選択画面
４１ａ〜４１ｃ　メニュー選択項目
４２ａ〜４２ｃ　メニュー画面
４３　第１階層の選択項目
４４　第２階層の選択項目
４５　選択番号
４６　表示エリア
４７　指示項目
【図１】
2004139341.tif 000003
【図２】
2004139341.tif 000004
【図３】
2004139341.tif 000005
【図４】
2004139341.tif 000006
【図５】
2004139341.tif 000007
【図６】
2004139341.tif 000008
【図７】
2004139341.tif 000009
【図８】
2004139341.tif 000010
【図９】
2004139341.tif 000011
【図１０】
2004139341.tif 000012